(57)【要約】【課題】製作精度に左右されずに測角精度を損なわない。【解決手段】複数のアンテナ素子１０２をそれぞれ含む複数のサブアレーアンテナ１０１と、複数のサブアレーアンテナの端部にそれぞれ１つずつ接続される複数の給電部１０４と、を具備し、複数のサブアレーアンテナ１０１を、同一平面上に自由空間波長以下の間隔で平行に並列させ、同一平面上で複数のサブアレーアンテナ１０１に平行で、かつ複数のサブアレーアンテナ１０１の全本数を２等分し２つのサブアレーアンテナ群に分割する中心軸に対して、サブアレーアンテナ群同士が鏡像の関係にあることを特徴とする。【選択図】図１
2010119045.tif 000002
【特許請求の範囲】
【請求項１】
複数のアンテナ素子をそれぞれ含む複数のサブアレーアンテナと、
前記複数のサブアレーアンテナの端部にそれぞれ１つずつ接続される複数の給電部と、を具備し、
前記複数のサブアレーアンテナを、同一平面上に自由空間波長以下の間隔で平行に並列させ、該同一平面上で該複数のサブアレーアンテナに平行で、かつ該複数のサブアレーアンテナの全本数を２等分し２つのサブアレーアンテナ群に分割する中心軸に対して、前記サブアレーアンテナ群同士が鏡像の関係にあることを特徴とするアンテナ装置。
【請求項２】
前記中心軸を挟んで該中心軸に最も近い２つのサブアレーアンテナのそれぞれの給電部は、該給電部に最も近い前記アンテナ素子との距離が、他のサブアレーアンテナの該距離に比べて長いことを特徴とする請求項１に記載のアンテナ装置。
【請求項３】
前記中心軸を挟んで該中心軸に最も近い２つのサブアレーアンテナのそれぞれの給電部は、前記給電部と前記中心軸との最短距離が、他の給電部の該最短距離に比較して最も長い距離に配置されることを特徴とする請求項１または請求項２に記載のアンテナ装置。
【請求項４】
前記２つのサブアレーアンテナ群内のそれぞれで、前記複数のサブアレーアンテナに含まれる第１サブアレーアンテナの、前記複数の給電部に含まれる第１給電部に対し、隣接する第２サブアレーアンテナの、前記複数の給電部に含まれる第２給電部が、該第１給電部から最も遠い距離にある該第２サブアレーアンテナの端部に接続されて、順次隣接する各サブアレーアンテナに対し給電部がインターディジタルに接続されることを特徴とする請求項１に記載のアンテナ装置。
【請求項５】
複数のアンテナ素子をそれぞれ含む複数のサブアレーアンテナと、
前記複数のサブアレーアンテナにそれぞれ給電をおこなう複数の給電部と、を具備し、
前記複数のサブアレーアンテナは、前記複数のアンテナ素子の整列方向に対し、同一平面上で平行に前記複数のサブアレーアンテナを並列させて隣接するサブアレーアンテナ同士の間隔が自由空間波長以下となるように配置させ、前記複数のサブアレーアンテナと平行で、かつ該複数のサブアレーアンテナの全本数を２等分し２つのサブアレーアンテナ群に分割する中心軸に対して、前記サブアレーアンテナ群同士が鏡像の関係となり、前記２つのサブアレーアンテナ群内のそれぞれで、前記中心軸に最も近いサブアレーアンテナである第３サブアレーアンテナの第３給電部に対し、隣接する第４サブアレーアンテナの第４給電部が、該第３給電部から最も遠い距離にある該第４サブアレーアンテナの端部に接続されて、順次隣接する各サブアレーアンテナに対し給電部がインターディジタルに接続されることを特徴とするアンテナ装置。
【請求項６】
前記中心軸を挟んで該中心軸に最も近い２つのサブアレーアンテナのそれぞれの給電部は、該給電部に最も近い前記アンテナ素子との距離が、他のサブアレーアンテナの該距離に比べて長いことを特徴とする請求項４または請求項５に記載のアンテナ装置。
【請求項７】
前記複数のサブアレーアンテナの数の合計が偶数である場合は、前記サブアレーアンテナ群内のそれぞれで、前記中心軸に最も近いサブアレーアンテナである第３サブアレーアンテナを第３給電部に接続する位置が、前記給電部の中心から前記中心軸方向に向かう該給電部の周縁までの最短距離と前記間隔の半分との差以上となる距離だけ前記第３サブアレーアンテナを前記第３給電部よりも前記中心軸の方向へオフセットして配置することを特徴とする請求項１または請求項４または請求項５のいずれか１項に記載のアンテナ装置。
【請求項８】
前記複数のサブアレーアンテナの数の合計が奇数である場合は、中心にある１つの前記サブアレーアンテナを前記中心軸として、他の前記複数のサブアレーアンテナを配置することを特徴とする請求項４または請求項５に記載のアンテナ装置。
【請求項９】
前記複数のアンテナ素子および前記複数のサブアレーアンテナを、ポスト壁導波路スロットアレーアンテナ、誘電体導波管スロットアレーアンテナ、導波管スロットアレーアンテナ、マイクロストリップ線路パッチアンテナ、トリプレート線路パッチアンテナ、ホーンアレーのいずれか１つにより実現することを特徴とする請求項１から請求項８のいずれか１項に記載のアンテナ装置。
【請求項１０】
複数のアンテナ素子をそれぞれ含む複数のサブアレーアンテナと前記複数のサブアレーアンテナの端部にそれぞれ１つずつ接続される複数の給電部とを含むアンテナと、
前記アンテナより受信した信号の増幅および該信号を周波数変換し変換信号を得るダウンコンバートを含む処理をおこなうＲＦチップ部と、
前記変換信号にアナログディジタル変換を行いディジタル信号に変換するアナログディジタル変換部と、
前記ディジタル信号よりビームの到来方向を推定するモノパルスＤＢＦ部と、を具備し、
前記複数のサブアレーアンテナを、同一平面上に自由空間波長以下の間隔で平行に並列させ、該同一平面上で該複数のサブアレーアンテナに平行で、かつ該複数のサブアレーアンテナの全本数を２等分し２つのサブアレーアンテナ群に分割する中心軸に対して、前記サブアレーアンテナ群同士が鏡像の関係にあることを特徴とするレーダ装置。
【発明の詳細な説明】
【技術分野】
【０００１】
本発明は、アレーアンテナに関し、特に複数の給電口をもつアンテナ装置およびレーダ装置に関する。
【背景技術】
【０００２】
ディジタルビームフォーミング、ビームスキャンないしはモノパルス方式を目的としてサブアレーアンテナを複数配置したアレーアンテナがある（例えば、非特許文献１参照）。ミリ波帯では、サブアレーアンテナに用いられるアンテナ素子としてトリプレート線路パッチアンテナ、マイクロストリップ線路パッチアンテナ、ホーンアンテナや導波管スロットアレーアンテナなどがあり、これらのアンテナ素子へ給電する場合には、マイクロストリップ線路、トリプレート線路、導波管、ポスト壁導波管などにより給電される（例えば、特許文献１または非特許文献２参照）。サブアレーアンテナの給電口はミリ波の車載レーダでは導波管給電が一般的である。アレーアンテナにおいて、送受信それぞれのアンテナをインターディジタル構造に配置し、両側から給電することにより、開口面積を有効に活用しているものもある（例えば、非特許文献３参照）。
【特許文献１】特開２０００−１２４７２７公報
【非特許文献１】「アンテナ工学ハンドブック（第二版）」、オーム社、ｐ３３９−ｐ４４５
【非特許文献２】飯塚他、「車載ミリ波レーダ用アンテナ」、２００１年電子情報通信学会総合大会、ＳＢ−１−７、ｐ７４３−ｐ７４４
【非特許文献３】岡島祐介、朴世鉉、広川二郎、安藤真、“インターディジタル構造を用いた直交４５度偏波共用ポスト壁導波管スロットアレー”電子情報通信学会技術報告、Ａ・Ｐ２００３−１４９、ＲＣＳ２００３−１５５、ｐｐ．２１−２６
【発明の開示】
【発明が解決しようとする課題】
【０００３】
車載レーダのように水平方向の測角をおこなう場合、水平方向にサブアレーアンテナが配置され、それぞれのサブアレーアンテナに給電口が設けられる。このサブアレーアンテナの間隔はグレーティングローブレベルとの兼ね合いで、広角化を目指したレーダにおいてはサブアレーアンテナ間隔を狭くする必要がある。例えば最大走査角を４０度とすると、サブアレーアンテナの動作周波数の自由空間波長をλ０と定義すれば、０．６λ０以下程度を選ぶ必要がある。さらに導波管給電において、各サブアレーアンテナの給電口を同じ側に形成すると、導波管のカットオフの関係より広壁面は０．５λ０以上必要であり、かつ導波管を形成する金属の壁厚や各アンテナの給電口間のアイソレーションを改善するためのチョーク構造など物理的な影響を考慮すると、グレーティングローブレベルを押さえるための条件以上のスペースが必要となる。よって、アンテナの放射部に比べ、アンテナの給電部の幅が広くなってしまい、アンテナ全体の面積が大きくなってしまう。
【０００４】
この改善法としてアンテナへ上下もしくは左右から給電するものがあり、送受信のアンテナの開口面積を有効に活用することができる。
【０００５】
しかし、構造上の物理的な影響は避けられるものの、インターディジタル構造はビーム走査する面に対して非対称となるため、製作精度などの影響で各ポートへの給電位相が非対称にずれ、ビームやヌル点が非対称にチルトし、モノパルス方式などでは測角精度が損なわれる問題がある。
【０００６】
本発明は、上記の課題を解決するためになされたものであり、製作精度に左右されずに測角精度が損なわれないようなアンテナ装置およびビーム装置を提供する。
【課題を解決するための手段】
【０００７】
上述の課題を解決するため、本発明に係るアンテナ装置は、複数のアンテナ素子をそれぞれ含む複数のサブアレーアンテナと、前記複数のサブアレーアンテナの端部にそれぞれ１つずつ接続される複数の給電部と、を具備し、前記複数のサブアレーアンテナを、同一平面上に自由空間波長以下の間隔で平行に並列させ、該同一平面上で該複数のサブアレーアンテナに平行で、かつ該複数のサブアレーアンテナの全本数を２等分し２つのサブアレーアンテナ群に分割する中心軸に対して、前記サブアレーアンテナ群同士が鏡像の関係にあることを特徴とする。
【０００８】
また、本発明に係るアンテナ装置は、複数のアンテナ素子をそれぞれ含む複数のサブアレーアンテナと、前記複数のサブアレーアンテナにそれぞれ給電をおこなう複数の給電部と、を具備し、前記複数のサブアレーアンテナは、前記複数のアンテナ素子の整列方向に対し、同一平面上で平行に前記複数のサブアレーアンテナを並列させて隣接するサブアレーアンテナ同士の間隔が自由空間波長以下となるように配置させ、前記複数のサブアレーアンテナと平行で、かつ該複数のサブアレーアンテナの全本数を２等分し２つのサブアレーアンテナ群に分割する中心軸に対して、前記サブアレーアンテナ群同士が鏡像の関係となり、前記２つのサブアレーアンテナ群内のそれぞれで、前記中心軸に最も近いサブアレーアンテナである第３サブアレーアンテナの第３給電部に対し、隣接する第４サブアレーアンテナの第４給電部が、該第３給電部から最も遠い距離にある該第４サブアレーアンテナの端部に接続されて、順次隣接する各サブアレーアンテナに対し給電部がインターディジタルに接続されることを特徴とする。
【０００９】
さらに、本発明に係るレーダ装置は、複数のアンテナ素子をそれぞれ含む複数のサブアレーアンテナと前記複数のサブアレーアンテナの端部にそれぞれ１つずつ接続される複数の給電部とを含むアンテナと、前記アンテナより受信した信号の増幅および該信号を周波数変換し変換信号を得るダウンコンバートを含む処理をおこなうＲＦチップ部と、前記変換信号にアナログディジタル変換を行いディジタル信号に変換するアナログディジタル変換部と、前記ディジタル信号よりビームの到来方向を推定するモノパルスＤＢＦ部と、を具備し、前記複数のサブアレーアンテナを、同一平面上に自由空間波長以下の間隔で平行に並列させ、該同一平面上で該複数のサブアレーアンテナに平行で、かつ該複数のサブアレーアンテナの全本数を２等分し２つのサブアレーアンテナ群に分割する中心軸に対して、前記サブアレーアンテナ群同士が鏡像の関係にあることを特徴とする。
【発明の効果】
【００１０】
本発明のアンテナ装置およびレーダ装置によれば、各サブアレーアンテナの給電口が互いに構造上の物理的な影響を受けずに、かつ製作精度に左右されずに測角精度を損なわない。
【発明を実施するための最良の形態】
【００１１】
以下、図面を参照しながら本発明の実施形態に係るアンテナ装置およびレーダ装置について詳細に説明する。なお、以下の実施形態では、同一の番号を付した部分については同様の動作をおこなうものとして、重ねての説明を省略する。  
まず、本発明の実施形態に係るアンテナ装置およびレーダ装置について図１を参照して説明する。  
本実施形態に係るアンテナ装置１００は、サブアレーアンテナ１０１、アンテナ素子１０２、給電線路１０３、給電口１０４を含む。さらにアンテナ装置１００は、複数のサブアレーアンテナ１０１をアンテナ素子１０２が整列している方向と同一平面上で、平行に並列させることによりアレーアンテナ群が形成される。  
サブアレーアンテナ１０１は、複数のアンテナ素子１０２、給電線路１０３を含む。  
アンテナ素子１０２は、例えば、導波管構造を用いる場合はスロットまたはホーン、マイクロストリップ線路を用いる場合はパッチ素子によって構成される。  
給電線路１０３は、例えば、導波管、マイクロストリップ線路、トリプレート線路、ポスト壁導波路によって構成され、アンテナ素子１０２に給電する。  
給電口１０４は、給電の際に用いられる給電線路１０３の形状によりその形状が変化する。給電口１０４はその給電線路１０３の形状にあわせたモード変換器の構造をとる。
【００１２】
サブアレーアンテナ１０１並列させる際のサブアレーアンテナ１０１同士の間隔ｄは、グレーティンローブなどの不要放射の抑圧のために、サブアレーアンテナの動作周波数の自由空間波長λ、最大走査角をθｍとすると（１）式を満たす必要がある。
【数１】
2010119045.tif 000003
【００１３】
この（１）式を満たすように、複数のアンテナ素子１０２の整列方向と平行に複数のサブアレーアンテナ１０１を並列させて配置される。特に、サブアレーアンテナ１０１の間隔が自由空間波長以下になるように配置する。複数のサブアレーアンテナ１０１は、４０度以上のビーム走査する場合は、サイドローブが抑圧できるように、できればサブアレーアンテナ１０１同士の隣り合う間隔が、０．６λ以下程度となるように並べるとよい。図１ではサブアレーアンテナ１０１の数は８本であるが、並べるサブアレーアンテナ１０１の数には制限はなく適用するスペースがある限り複数ならべてもよい。このサブアレーアンテナ１０１の配置において重要なのが、アンテナ装置１００の中心軸に対して鏡像の関係（線対称）になるように配置することである。具体的にはサブアレーアンテナ１０１の数が偶数である場合には、中心にある２つのサブアレーアンテナ１０１の間に中心軸を想定し、図１に示すように両側とも同数のサブアレーアンテナ１０１が存在するように配置する。サブアレーアンテナ１０１の数が奇数である場合には、図２のように中心軸として中心にある１つのサブアレーアンテナ１０１を選択して、その両側に同数のサブアレーアンテナ１０１が存在するよう配置する。  
中心以外の位置に並列するサブアレーアンテナ１０１については、隣り合うサブアレーアンテナ１０１の給電口１０４が、お互いに最も遠い位置に配置される。つまり図１に示すようにサブアレーアンテナ１０１の一方の端に給電口１０４があり、隣あうサブアレーアンテナ１０１はサブアレーアンテナ１０１の整列方向に対して反対側の端部に給電口１０４があるように互い違いになるインターディジタル構造をとる。ここで、サブアレーアンテナ１０１の数の合計が偶数の場合は、鏡像を保つために中心軸を挟んで中心軸に最も近い２つのサブアレーアンテナ１０１の給電口１０４を、互いに隣り合うように配置する。  
このとき、中心にある二つのサブアレーアンテナ１０１の給電口は、サブアレーアンテナ１０１同士を自由空間波長以下の間隔に保ち、かつ互いの給電口が物理的に干渉しないように、給電口の位置を横方向にオフセットしてもよい。オフセットを行う距離は、中心にあるサブアレーアンテナの給電部の中心から、中心軸方向に向かう給電部の周縁までの最短距離と前記間隔の半分との差以上となる距離だけ、中心軸方向にずらす。具体的に図１を参照して説明すると、導波管の幅をｗ、サブアレーアンテナの間隔をｄとすると、
【数２】
2010119045.tif 000004
【００１４】
以上となるように、中心の右側にあるサブアレーアンテナ１０１については、給電線路１０３を中心軸方向へ、つまり左側にオフセットする。中心の左側にあるサブアレーアンテナ１０１については、給電線路１０３を右側にオフセットする。つまり、中心軸を挟んだ２つのサブアレーアンテナ１０１が互いに接近するようにオフセットをおこなう。図１では導波管給電を想定して説明をおこなったが、その他のマイクロストリップ線路−導波管変換器や、トリプレート線路−導波管変換器、ポスト壁導波路−導波管変換器など、他のモード変換器を用いて給電する場合も同様である。  
なお、サブアレーアンテナ１０１の数の合計が奇数である場合は、互いにとなりあう給電口１０４はなく、全ての隣り合うサブアレーアンテナ１０１の最も遠い端部に給電口１０４を交互に配置する。
【００１５】
ここで、鏡像の関係、つまり左右対称構造である利点について図３、図４を用いて説明する。  
例えば本実施形態に係るアンテナ装置１００をレーダ装置として使用する場合、モノパルス方式での測角をおこなうことが考えられる。モノパルス方式で測角をおこなうレーダ装置の一例を図３に示す。図３はモノパルス方式の受信時の回路を示しており、本実施形態に係るレーダ装置３００は、アンテナ３０１ａ、３０１ｂ、３０１ｃ、３０１ｄ、ＲＦチップ部３０２、ＡＤ変換部３０３、モノパルスＤＢＦ（Digital Beam Forming）部３０４、を含む。  
ＲＦチップ部３０２は、サブアレーアンテナであるアンテナ３０１ａ、３０１ｂ、３０１ｃ、３０１ｄで受信した信号を、増幅したり、信号のダウンコンバートを含む処理をおこない、ＡＤ変換部３０３に送る。  
ＡＤ変換部３０３は、ＲＦチップ部より送られた信号をアナログディジタル変換をおこなってディジタル信号を生成し、モノパルスＤＢＦ３０３部に送る。  
モノパルスＤＢＦ部３０４は、ＡＤ変換部３０３から送られたディジタル信号を用いてビームの到来方向を推定する。さらなる詳細な動作については公知の技術を用いるためここでの説明は省略する。  
ここで、アンテナ３０１ａ、３０１ｂ、３０１ｃ、３０１ｄのそれぞれが本実施形態に係るアンテナ装置１００のサブアレーアンテナ１０１を示すとする。ここでは４本のサブアレーアンテナを用いているが、任意の本数のサブアレーアンテナを用いてもよい。  
モノパルス方式では、サブアレーアンテナで受信した出力を合成して和信号と差信号を作り、対象物の測角を行う。図３を用いて具体的に説明すると、例えばアンテナ３０１ａと３０１ｂ、アンテナ３０１ｃと３０１ｄに分けて、アンテナ３０１ａと３０１ｂ出力と、アンテナ３０１ｃと３０１ｄの出力を逆相に合成すると正面方向にヌルを形成する。  
実際に本実施形態に係るアンテナ装置１００をポスト壁導波路スロットアレーによって実現したものを図４に示す。ポスト壁導波路スロットアレーに対して給電線路４０１とパッケージ４０２が接続されている。ポスト壁導波路スロットアレーによって実現したアンテナ装置については後に図６を用いて詳細に説明する。  
ここでは、サブアレーアンテナ１０１を端から、３０１ａ、３０１ｂ、３０１ｃ、３０１ｄと仮定する。各サブアレーアンテナ１０１から受信した信号は、各サブアレーアンテナ１０１の給電部に接続された給電線路３０１を通じてパッケージ３０２に入力される。  
このとき、もしアンテナ３０１ａとアンテナ３０１ｂへの給電線路３０１の距離が製作誤差により長さにずれが生じた場合、同相となるように出力を合成してもアンテナ３０１ａとアンテナ３０１ｂとの間で、それぞれの給電部までに位相差が生じてしまうことが考えられる。しかし、もし位相差が生じてしまったとしても、左右対称であれば、アンテナ３０１ｃとアンテナ３０１ｄにおいても同じ分だけ位相差を生じることとなるため互いに打ち消しあい、結局正面方向のヌルはシフトすること無く維持することができる。
【００１６】
以上に示した実施形態によれば、インターディジタル構造を用いて、隣あうサブアレーアンテナの給電口が重なり合う等の物理的干渉を起こすことなく、かつ隣り合う給電口の大きさを考慮せずにサブアレーアンテナ同士の間隔を狭めることができる。また、アンテナ装置の中心軸に対して左右のサブアレーアンテナ群が鏡像となる構造をとることにより、位相誤差が対称に現れるために正面方向のヌルは維持され、製作精度に左右されずに測角精度が損なわれないという利点を持つ。
【００１７】
（第１の変形例）  
次に、図１で示した本実施形態に係るアンテナ装置１００の変形例を図５に示す。これはサブアレーアンテナ１０１の総数が偶数個である場合に、鏡像の関係を保つために中心にある２つのサブアレーアンテナ１０１の給電口１０４を隣り合わせに並列させる必要があるため、給電線路１０３をオフセットしたとしても隣り合う給電口１０４同士が干渉する可能性がある。そこで、中心軸に最も近い２つのサブアレーアンテナ１０１は、それぞれの給電部に最も近いアンテナ素子１０２との距離が、他のサブアレーアンテナ１０１の距離に比べて長くなるように引き延ばす。つまり、給電口１０４同士が干渉することがないように一番外側のサブアレーアンテナ１０１のさらに外側に給電線路１０３を引き延ばして給電する。つまり図５に示すように、中心の右側にあるサブアレーアンテナ１０１の給電線路１０３が「Ｌ」字となる状態を形成する。なお、中心にある２つのサブアレーアンテナ１０１はインターディジタル構造ではないが、残りの他のサブアレーアンテナ１０１についてはインターディジタル構造を保っている。さらに、必ずしも一番外側のサブアレーアンテナ１０１の外側にある必要はなく、中心軸に最も近いサブアレーアンテナ１０１の給電部１０４と中心軸との最短距離が、他の給電部１０４における中心軸との最短距離に比較して、最も長い距離に配置されればよい。またアンテナの製作時におけるアンテナの面積やその他の制約等を考慮して給電口１０４が互いに干渉しない位置に配置すればよい。
【００１８】
本変形例によれば、アンテナ装置１００の中心の２つの給電口１０４が干渉することなく、中心軸に対して左右のサブアレーアンテナ群が鏡像の関係を保つことができる。
【００１９】
（第１の変形例の具体例）  
第１の変形例をポスト壁導波路スロットアレーで作製した一例を図６に示す。ポスト壁導波路は、誘電体基板と、スルーホール６０１、アンテナ素子６０２、給電口６０３、整合ピン６０４を含む。  
誘電体基板は、テフロン（登録商標）や液晶ポリマーなどの材質の上に上下両面が例えば銅のような導電性金属材料により作られた金属膜により覆われている。  
スルーホール６０１は、誘電体基板を貫通して金属膜間を短絡する金属部材（スルーホール部材と呼ばれる）によって作られる。このスルーホール６０１を整列させたスルーホール列により、等価的に誘電体が充填された導波管構造のように動作するポスト壁導波路が形成される。ポスト壁導波路は、導波管の狭壁面に相当する側面を共有している。  
アンテナ素子６０２は、スロットアンテナの場合、エッチングによりスロットを開けることにより形成される。ポスト壁導波路スロットアレーアンテナは、誘電体の充填された導波管のスロットアレーアンテナとして動作する。スロットは、ポスト壁導波路における管軸方向（ポスト壁導波路を形成するスルーホール列と並行な方向に相当）に対して、平行、垂直、斜め４５度等、様々な方向に形成されてもよく、また、様々な方向にあけたスロットを組み合わせてもよい。スロットの間隔は、等間隔であっても、不等間隔であってもよい。ポスト壁導波路スロットアレーにおいて、ポスト壁導波路を形成するスルーホール群以外に、ポスト壁導波路内にスルーホールが具備されていてもよい。
【００２０】
給電口６０３は、エッチングにより開口が形成されている。また、給電口６０３の周りのスルーホール列は、スロットが形成されている領域のスルーホール列よりも列幅が広がったステップ構造を形成される。ただし、給電口６０３の周りのスルーホール列をステップ構造にせず、スロットが形成されている領域のスルーホール列の列幅と同じにしてもよい。  
整合ピン６０４は、アンテナにおける反射損失を防ぐために誘電体を貫通させて整合をおこなっている。  
第１の変形例を形成するために、中心にある二つのサブアレーアンテナ１０１の給電口６０３は、ベンド構造を介して、一番外側のサブアレーアンテナの外側に、引き回されて給電される。ベンドは、図６ではＬベンド形成されているが、Ｕベンドを用いてもよい。Ｌベンド内に整合ピン６０４として配置されたスルーホールがあってもよい。
【００２１】
（第２の変形例）  
本実施形態では、実施形態または第２の実施形態におけるサブアレーアンテナ１０１を、導波管スロットアンテナ、誘電体導波管スロットアンテナ、マイクロストリップ線路パッチアンテナ、トリプレート線路パッチアンテナ、ホーンアレーにより構成する。各アンテナの製作法については公知の技術を用いるためここでの詳細な説明は省略する。ここでは特にサブアレーアンテナ内のアンテナ素子の配列について図７から図９を参照して詳細に説明する。図１では、１列の給電線路に直列に接続されているが、図７のように給電線路７０２から片側に向けて、アンテナ素子１０２が枝分かれした配置をとるサブアレーアンテナ７０１でもよい。また、図８のように給電線路８０２から両側にアンテナ素子１０２が枝分かれするサブアレーアンテナ８０１の配置をとってもよい。さらに図９のように、給電線路９０２から枝分かれした後、Ｔ分岐を３回繰り返してその末端にアンテナ素子１０２を配置することにより、給電線路９０２からの１つの枝分かれに対して８個のアンテナ素子１０２が配置されるサブアレーアンテナ９０１としてもよい。  
これら図７から図９のサブアレーアンテナ７０１、８０１、９０１に共通することは、本実施形態に係るアンテナ装置の中心軸に対して、鏡像の関係と保つようにアンテナ素子配置をとることである。具体的に図７のサブアレーアンテナ７０１を用いたアンテナ素子配置を図１０に示す。サブアレーアンテナ７０１の右側に枝分かれをしたものが中心軸から見て左側に配置されている場合、中心軸から右側に配置されているサブアレーアンテナ７０１は、左側に枝分かれする構造をとるようにする。  
以上に示した第２の変形例によれば、様々なアンテナの形状に対応したアンテナ素子配置で本実施形態に係るアンテナ装置を実現することができる。
【００２２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２３】
【図１】本実施形態に係るアンテナ装置の一例を示す図。
【図２】本実施形態に係るアンテナ装置の別例を示す図。
【図３】レーダ装置を示すブロック図。
【図４】パッケージからアンテナへの給電線路を示す図。
【図５】アンテナ装置の第１の変形例を示す図。
【図６】アンテナ装置をポスト壁導波路スロットアレーアンテナで製作した例を示す図。
【図７】サブアレーアンテナのアンテナ素子配置の第１の別例を示す図。
【図８】サブアレーアンテナのアンテナ素子配置の第２の別例を示す図。
【図９】サブアレーアンテナのアンテナ素子配置の第３の別例を示す図。
【図１０】アンテナ素子配置の第１の別例を用いたアンテナ装置を示す図。
【符号の説明】
【００２４】
１００・・・アンテナ装置、１０１、７０１、８０１、９０１・・・サブアレーアンテナ、１０２、６０２・・・アンテナ素子、１０３、４０１、７０２、８０２、９０２・・・給電線路、１０４、６０３・・・給電口、３０１ａ、３０１ｂ、３０１ｃ、３０１ｄ・・・アンテナ、３０２・・・ＲＦチップ部、３０３・・・ＡＤ変換部、３０４・・・モノパルスＤＢＦ部、４０２・・・パッケージ、６０１・・・スルーホール、６０４・・・整合ピン。
【図１】
2010119045.tif 000005
【図２】
2010119045.tif 000006
【図３】
2010119045.tif 000007
【図４】
2010119045.tif 000008
【図５】
2010119045.tif 000009
【図６】
2010119045.tif 000010
【図７】
2010119045.tif 000011
【図８】
2010119045.tif 000012
【図９】
2010119045.tif 000013
【図１０】
2010119045.tif 000014